【事件の表示】
　特許第３２９４７６７号「染毛剤組成物」の請求項１、２に係る特許に対する特許異議の申立てについて、次のとおり決定する。
【結　論】
　訂正を認める。
　特許第３２９４７６７号の請求項１，２に係る特許を取り消す。
【理　由】
１．手続の経緯
　本件特許第３２９４７６７号に係る発明は、平成８年７月２５日に特許出願され、平成１４年４月５日に特許権が設定登録され、その後、その特許について、ウエラ　アクチェンゲゼルシャフトより特許異議の申立てがされ、特許取消理由の通知後、その指定期間内である平成１５年５月１日に訂正請求がされ、その後再度の取消理由の通知がなされたものである。
　　　　　　　　　　
２．訂正の適否について
　　　　　　
（１）訂正の内容
　　　　　　　
ア．「【請求項１】（ａ）モノエタノールアミン、（ｂ）アンモニア、（ｃ）カチオン化ポリマーおよび（ｄ）硫酸、硝酸、塩酸および／またはリン酸のアンモニウム塩またはアルカノールアミン塩からなる群より選ばれる１種または２種以上を含有した染毛剤組成物において、（ａ）と（ｂ）の配合量の合計が０．５重量％〜１２重量％であり、（ａ）と（ｂ）の重量比が１：０．１〜１：０．３５であることを特徴とする染毛剤組成物。」を
「【請求項１】（ａ）モノエタノールアミン、（ｂ）アンモニア、（ｃ）カチオン化ポリマーおよび（ｄ）硫酸、塩酸および／またはリン酸のアンモニウム塩からなる群より選ばれる１種または２種以上を含有した染毛剤組成物において、（ａ）と（ｂ）の配合量の合計が１重量％〜８重量％であり、（ａ）と（ｂ）の重量比が１：０．１〜１：０．３５であり、かつ（ｄ）の配合量が０．２重量％〜５重量％であることを特徴とする染毛剤組成物。」と訂正する。
　　　　　　　　　　
イ．段落番号【００２４】について、次の通り文言を訂正する。
「【００２４】
　さらに、（ｄ）群成分の硫酸、塩酸およびリン酸のアンモニウム塩からなる群から選ばれる１種または２種以上を配合するが、その配合量は０．２重量％〜５重量％であり、この範囲において優れた明度および染毛効果が得られる。配合量が０．２重量％未満であると十分な明度および染毛効果が得られず、５重量％を超える量を配合しても効果の上昇は少なく、経済的でない。これらの中でも、硫酸アンモニウム、塩化アンモニウム、リン酸アンモニウム、リン酸水素２アンモニウムおよびリン酸２水素アンモニウムで特に良好な結果が得られるので好ましい。」
　　　　　　　　　　　　　　
（２）訂正の目的の適否、新規事項の有無、及び特許請求の範囲の拡張・変更の存否
　　　　　　　　　　
　アの訂正は、請求項１に係る特許発明の（ｄ）成分を「硫酸、塩酸および／またはリン酸のアンモニウム塩からなる群より選ばれる１種または２種以上」に限定し、その配合量を「０．２重量％〜５重量％」としたものであり、更に（ａ）と（ｂ）の配合量の合計についても「１重量％〜８重量％」に限定したものである。よって、この訂正は特許請求の範囲の減縮を目的とするものである。また、イの訂正は、アの訂正の内容と明細書の発明の詳細な説明の記載との整合を図るものであるから、明瞭でない記載の釈明にあたる。
　そして、これらの事項は、訂正前の特許明細書の段落【０００６】、【００２４】に記載された事項であるから、願書に添付された明細書に記載された事項の範囲内のものであることは明らかであり、実質上特許請求の範囲を拡張し、又は変更するものでもない。
　　　　　　　　　　　　　　　　　　　　
　したがって、上記訂正は、特許法第１２０条の４第２項及び第３項で準用する特許法第１２６条第２項及び第３項の規定に適合するので、当該訂正を認める。
　　　　　　　　　
３．特許異議申立てについて
　　　　　　　　　　　
　上記２．のとおり訂正は認容されるから、特許第３２９４７６７号の請求項１〜２に係る発明は、訂正明細書の請求項１乃至２に記載された事項により特定されるとおりのものである。
　これに対して、平成１５年１０月３０日付けで取消理由を通知し、期間を指定して意見書を提出する機会を与えたが、特許権者からは何らの応答もない。
 　そして、上記の取消理由は妥当なものと認められるので、本件特許は、この取消理由によって取り消すべきものである。
　
 　よって、結論のとおり決定する。
【異議決定日】
平成１６年２月１０日（２００４．２．１０）
【訂正の要旨】
審決（決定）の【理由】欄参照。
（５４）【発明の名称】
染毛剤組成物
（５７）【特許請求の範囲】
　【請求項１】　（ａ）モノエタノールアミン、（ｂ）アンモニア、（ｃ）カチオン化ポリマーおよび（ｄ）硫酸
、塩
塩か
１重量％〜８重量％
り、かつ（ｄ）の配合量が０．２重量％〜５重量％であ
　【請求項２】　エアゾール式泡沫状の染毛剤であることを特徴とする請求項１に記載の染毛剤組成物。
【発明の詳細な説明】
　【０００１】
　【発明の属する技術分野】
　本発明は染毛剤組成物に係わり、毛髪に充分な明度を付与し、染毛力および堅牢性に優れ、継続使用しても良好な感触を有する染毛剤組成物に関する。
　【０００２】
　【従来の技術】
　従来より染毛剤としては酸化染料中間体を含有する第１剤と酸化剤を含有する第２剤よりなる二剤型の酸化染毛剤が広く利用されている。この染毛剤は無色の低分子の酸化染料中間体を毛髪中に浸透させ、毛髪の中で酸化重合を行なわせることにより色素を生成させ毛髪を染着するものである。これらの酸化染毛剤は要望に応じた種々の色調に毛髪を染毛することができ、しかもその染毛力は非常に優れており、一般に広く利用されているものである。第１剤のアルカリ剤としては、アンモニアおよびモノエタノールアミンなどのアルカノールアミンが用いられている。
　【０００３】
　また、これら酸化染毛剤の利点である良好な染毛力を得るためには、毛髪全体に均一に塗布することが必要であり、そのため様々な剤型が考案され、液状、クリーム状、ジェリー状、エアゾール状等の製品が上市されてきた。
　【０００４】
　【発明が解決しようとする課題】
　しかしながら、第１剤のアルカリ剤としてアンモニアを単独で配合すると刺激臭が生じる問題がある。一方モノエタノールアミンを単独で配合すると、刺激臭はないが毛髪に十分な明度を付与できず、染毛力が弱く、堅牢性も欠ける。更に、染毛後に染液を流す（以下、プレーンリンスという）際、毛髪がゴワついたり、きしみが生じる。毛髪を乾燥（以下、ドライという）後は、毛髪の感触にごわつきが生じたり櫛通りが悪くなり、良好な感触を得ることができない。また、継続的に染毛を繰り返すと、毛髪のごわつきや櫛通りの悪さが増加するという新たな問題が生じる。
　【０００５】
　【課題を解決するための手段および作用】
　そこで本発明者は上記の欠点を解決するために鋭意検討した結果、特定量のモノエタノールアミンおよびアンモニアを特定の比率で配合することにより、毛髪に十分な明度および染毛効果を付与し、堅牢性に優れ、プレーンリンス時、およびドライ後の感触が良好で、継続的に染毛を繰り返しても感触が良好である染毛剤を得た。更に配合するアンモニア量が従来必要とされる配合量より少ないため、染毛時のアンモニア由来の刺激臭を軽減することを可能にして本発明を完成させるに至った。
　【０００６】
　本発明は、染毛剤組成物において、（ａ）モノエタノールアミンおよび（ｂ）アンモニアを含有し、（ａ）および（ｂ）の配合量の合計が０．５重量％〜１２重量％、さらに好ましくは１重量％〜８重量％である。０．５重量％より少ないと十分な明度、染毛力、堅牢性、プレーンリンスおよびドライ後の良好な感触が得られず、１２重量％を超えると明度、染毛力、堅牢性および継続使用における感触の効果の上昇は殆どない。
　【０００７】
　また（ａ）および（ｂ）の配合重量比は１：０．０５〜１：０．５、さらに好ましくは１：０．１〜１：０．３５である。配合重量比が１：０．０５より小さいと十分な明度が得られず、染毛力、堅牢性に欠け、プレーンリンス時およびドライ後の感触が悪くなり、継続使用においても良好な感触が得られない。また１：０．５を超えると、明度、染毛力、堅牢性、継続使用における感触の効果の上昇はほとんどない。
　【０００８】
　通常、（ｂ）アンモニアは、取り扱い易いアンモニア水溶液として配合する。
　【０００９】
　（ａ）および（ｂ）に加えて、（ｃ）群成分としてカチオン化ポリマーを配合することにより、染毛力やプレーンリンス時、ドライ後および継続使用時に髪の感触が良好となるものが得られる。
　【００１０】
　本発明で用いられるカチオン化ポリマーは、ポリマー鎖に結合してアミノ基又はアンモニウム基を含むか、又は少なくともジメチルジアリルアンモニウムハライドを構成単位としたものであり、例えばカチオン化セルロース誘導体、カチオン性澱粉、カチオン化グアーガム誘導体、ジアリル４級アンモニウム塩／アクリルアミド共重合物および４級化ポリビニルピロリドン誘導体などが挙げられる。
　【００１１】
　カチオン化セルロース誘導体としては例えば次の一般式（１）で表されるものが好ましい。
　【００１２】
　【化１】
　式（１）中、Ａはアンヒドログルコース単位の残基を示し、ｆは５０〜２００００の整数であり、各Ｒ１は、それぞれ次の一般式（２）で表される置換基を示す。
　【００１３】
　【化２】
　式（２）中、Ｒ２，Ｒ３は炭素数２又は３のアルキレン基、ｇは０〜１０の整数、ｈは０〜３の整数、ｉは０〜１０の整数、Ｒ４は炭素数１〜３のアルキレン基又はヒドロキシアルキレン基、Ｒ５，Ｒ６，Ｒ７は同じか又は異なっており炭素数１０までのアルキル基、アリール基又はアラルキル基を示し、また式中の窒素原子を含んで複素環を形成してもよい。Ｘ１は陰イオン（塩素、臭素、沃素、硫酸、スルホン酸、メチル硫酸、リン酸、硝酸等）を示す。本発明に用いられるカチオン化セルロース誘導体のカチオン置換度は、０．０１〜１即ちアンヒドログルコース単位当りのｈの平均値は、０．０１〜１が好ましく、更に好ましくは０．０２〜０．５である。また、ｇ＋ｉの合計は平均１〜３である。カチオン置換度は、０．０１未満では十分でなく、また１を超えてもかまわないが反応収率の点より１以下が好ましい。ここで用いるカチオン化セルロース誘導体の分子量は約１０００００〜３００００００の間が好ましい。市販品としては、ライオン（株）のレオガードＧ，ＧＰ、ユニオンカーバイド社のポリマーＪＲ−１２５，ＪＲ−４００，ＪＲ−３０Ｍ，ＬＲ−４００，ＬＲ−３０Ｍ等が挙げられる。
　【００１４】
　その他のカチオン化セルロース誘導体としてはヒドロキシエチルセルロースジメチルジアリルアンモニウムクロリドが挙げられ、市販品としてはナショナルスターチアンドケミカル社のセルコートＨ−１００，Ｌ−２００等が挙げられる。
　【００１５】
　カチオン性澱粉としては次の一般式（３）で表されるものが好ましい。
　【００１６】
　【化３】
　式（３）中、Ｄは澱粉残基、Ｒ８はアルキレン基又はヒドロキシアルキレン基、Ｒ９、Ｒ１０、Ｒ１１は同じか又は異なっており、炭素数１０以下のアルキル基、アリール基又はアラルキル基を示し、また式中の窒素原子を含んで複素環を形成してもよい。Ｘ２は陰イオン（塩素、臭素、沃素、硫酸、スルホン酸、メチル硫酸、リン酸、硝酸等）、ｊは正の整数を示す。本発明で用いられるカチオン性澱粉のカチオン置換度は０．０１〜１、即ち無水グルコース単位当たり０．０１〜１、好ましくは０．０２〜０．５個のカチオン基が導入されたものが好ましい。カチオン置換度が０．０１未満では十分でなく、また１を超えてもかまわないが反応収率の点より１以下が好ましい。
　【００１７】
　カチオン化グアーガム誘導体としては、次の一般式（４）で表されるものが好ましい。
　【００１８】
　【化４】
式（４）中、Ｅはグアーガム残基、Ｒ１２はアルキレン基又はヒドロキシアルキレン基Ｒ１３，Ｒ１４，Ｒ１５は同じか又は異なっており、炭素数１０以下のアルキル基、アリール基又はアラルキル基を示し、また式中の窒素原子を含んで複素環を形成してもよい。Ｘ３は陰イオン（塩素、臭素、沃素、硫酸、スルホン酸、メチル硫酸、リン酸、硝酸等）、ｋは正の整数を示す。本発明で用いられるカチオン化グアーガム誘導体のカチオン置換度は０．０１〜１が好ましく、特に０．０２〜０．５個のカチオン基が、糖単位に導入されたものが好ましい。例えば、特公昭５８−３５６４０号、特公昭６０−４６１５８号および、特開昭５８−５３９９６号公報に記載され、ＲＨＯＮＥ−ＰＯＵＬＥＮＣ社のジャグアーＣ−１３Ｓ，同−１４Ｓ，同−１７，同−２１０，同−１６２，ＨＩ−ＣＡＲＥ１０００として市販されている。
　【００１９】
　カチオン性のジアリル４級アンモニウム塩／アクリルアミド共重合物としては、次の一般式（５）又は（６）で示されるものが好ましい。
　【００２０】
　【化５】
　【化６】
　式（５）および（６）中、Ｒ１６，Ｒ１７は同じか又は異なっており、水素、アルキル基（炭素数１〜１８）、フェニル基、アリール基、ヒドロキシアルキル基、アミドアルキル基、シアノアルキル基、アルコキシアルキル基又はカルボアルコキシアルキル基、Ｒ１８，Ｒ１９，Ｒ２０，Ｒ２１は同じか又は異なっており、水素、低級アルキル基（炭素数１〜３）又はフエニル基、Ｘ４は陰イオン（塩素、臭素、沃素、硫酸、スルホン酸、メチル硫酸、リン酸、硝酸等）、ｐは１〜５０の整数、ｑは０〜５０の整数、ｒは１５０〜８０００の整数を示す。本発明で用いられるジアリル４級アンモニウム塩／アクリルアミド共重合物の分子量としては約３万〜２００万が好ましく、更に好ましくは１０万〜１００万の範囲である。市販品としては、メルク社のマーコート１００，５５０，２８０などが挙げられる。
　【００２１】
　４級化ポリビニルピロリドン誘導体としては次式（７）で示されるものが好ましい。
　【００２２】
　【化７】
式（７）中、Ｒ２２は水素原子または炭素数１〜３のアルキル基、Ｒ２３，Ｒ２４，Ｒ２５は同じかまたは異なっており、水素原子、炭素数１〜４のアルキル基、ヒドロキシアルキル基、アミドアルキル基、シアノアルキル基、アルコキシアルキル基またはカルボアルコキシアルキル基、Ｙ１は酸素原子またはアミド結合中のＮＨ基、Ｘ５は陰イオン（塩素、臭素、沃素、硫酸、スルホン酸、炭素数１〜４のアルキル硫酸、リン酸、硝酸等）、ｕは１〜１０の整数、ｓ＋ｔ＝２０〜８０００の整数を示す。本発明で用いられる４級化ポリビニルピロリドン誘導体の分子量としては１万〜２００万が好ましく、更に好ましくは５万〜１５０万である。市販品としては、アイエスピー・ジャパン（株）のガフコート７３４，７５５，７５５Ｎ等が挙げられる。
　【００２３】
　これらの中でもカチオン化セルロース誘導体および／またはジアリル４級アンモニウム塩／アクリルアミド共重合物が好ましい。その配合量は、０．０１〜５重量％であり、さらに好ましくは０．１重量％〜３重量％である。０．０１重量％よりも少ないと十分な効果が得られず、５重量％を越えても、その効果は変わらず経済的ではない。
　【００２４】
　さらに、（ｄ）群成分の硫酸
、塩
塩か
、塩
、リ
　【００２５】
　本発明の染毛剤組成物に用いられる酸化染料中間体およびカップラーとしては、フェニレンジアミン類、トルイレンジアミン類、アミノフェノール類、アミノニトロフェノール類、ジフェニルアミン類、ジアミノフェニルアミン類、Ｎ−フェニルフェニレンジアミン類、ジアミノピリジン類等およびそれらの塩類、レゾルシン、ピロガロール、カテコール、α−ナフトール等を配合することができる。また、上記物質の他、「医薬部外品原料規格」（薬事日報社、１９９１年６月発行）に収載されたものを適宜用いることができる。更に、酸性染料も配合することができる。
　【００２６】
　本染毛剤組成物には、その他に染毛剤組成物に一般に使用されている成分を配合することが可能である。例えば、高級アルコール、高級脂肪酸等の油成分、非イオン界面活性剤、アニオン性界面活性剤、両性界面活性剤、カチオン性界面活性剤等の界面活性剤、グリセリン、プロピレングリコール、ポリエチレングリコール等の保湿剤、亜硫酸塩、アスコルビン酸等の安定剤、カルボキシメチルセルロース、キサンタンガム、ポリアクリル酸およびその塩等の増粘剤、シリコン、香料などを、必要に応じて適宜配合することができる。
　【００２７】
　本発明における染毛剤組成物の剤型としては、一般に市場に供されている剤型であればよく、例えばクリーム状、液状、ジェリー状、エアゾール状などが挙げられる。特にエアゾール式泡沫状の染毛剤においては、刺激臭が少なく、しかも明度・染毛力並びに施術後の髪の感触が良好な効果が得られる。
　【００２８】
　【発明の実施の形態】
　次に、本発明を実施例により更に具体的に説明するが、本発明はその要旨を超えない限り、以下の実施例に限定されるものではない。
　【００２９】
　【実施例】
実施例１（染毛剤）
＜第１剤＞
　【表１】
＜第２剤＞　　　　　　　　　　　　　　　　　　　　　　　　　　　　重量％
　　過酸化水素水（３５％）　　　　　　　　　　　　　　　　　　　１５．０
　　セタノール　　　　　　　　　　　　　　　　　　　　　　　　　　２．０
　　ラウリル硫酸ナトリウム　　　　　　　　　　　　　　　　　　　　０．５
　　フェナセチン　　　　　　　　　　　　　　　　　　　　　　　　　０．１
　　ＥＤＴＡ　　　　　　　　　　　　　　　　　　　　　　　　　　　０．５
　　精製水　　　　　　　　　　　　　　　　　　　　　　　　１００とする量
　表１に示したように、モノエタノールアミンとアンモニアの合計３．４４重量％を１：０．３２の比率で配合した実施例１と、実施例１と同じ量（０．０９２モル）に換算したアンモニアあるいはモノエタノールアミンを各々単独で配合した比較例１および２において、第１剤と第２剤を１：１の割合で混合し、パネラー５名の頭髪を左右半分に分けて、片方に実施例１、もう一方に比較例１あるいは２のいずれかを塗布した。その後、室温で２０分経過後、各パネラーの頭髪を、４０℃の温湯で充分洗浄し、乾燥した。これを１ヶ月半に１回の割合で染毛し、３回繰り返した。このような染毛処理を終えた各パネラーに関して、第１回目は染毛時の刺激臭、プレーンリンス時およびドライ後の感触、染毛力、第２回目は堅牢性、プレーンリンス時およびドライ後の感触、第３回目はプレーンリンス時およびドライ後の感触について以下の評価基準で比較した。この結果の平均を表２に示した。
評価基準
染毛力
　　○：良好
　　△：普通
　　×：悪い
堅牢性
　　○：良好
　　△：普通
　　×：悪い
刺激臭
　　○：無い
　　△：弱い
　　×：強い
プレーンリンス時の感触
　　○：きしみやごわつきがない
　　△：きしみやごわつきがややある
　　×：きしみやごわつきがある
ドライ後の感触
　　○：ごわつきがなく櫛通りも良い
　　△：ごわつきはあるが櫛通りはよい
　　×：ごわつきがあり櫛通りも悪い
　【表２】
実施例２（脱色剤）
＜第１剤＞
　【表３】
＜第２剤＞　　　　　　　　　　　　　　　　　　　　　　　　　　　　重量％
　　過酸化水素水（３５％）　　　　　　　　　　　　　　　　　　　１５．０
　　ＥＤＴＡ　　　　　　　　　　　　　　　　　　　　　　　　　　　０．５
　　セタノール　　　　　　　　　　　　　　　　　　　　　　　　　　２．０
　　塩化ステアリルトリメチルアンモニウム　　　　　　　　　　　　　１．０
　　プロピレングリコール　　　　　　　　　　　　　　　　　　　　　１．０
　　フェナセチン　　　　　　　　　　　　　　　　　　　　　　　　　０．１
　　ポリオキシエチレン（２０）オレイルエーテル　　　　　　　　　　０．９
　　精製水　　　　　　　　　　　　　　　　　　　　　　　１００％とする量
　表３に示したように、モノエタノールアミンとアンモニアの合計６．４４重量％を１：０．１５の比率で配合した実施例２と、実施例２と同じ量（０．１４１モル）に換算したアンモニアあるいはモノエタノールアミンを各々単独で配合した比較例３および４において、第１剤と第２剤を１：１の割合で混合し、パネラー５名の頭髪を左右半分に分けて、片方に実施例１、もう一方に比較例１あるいは２のいずれかを塗布した。その後、室温で２０分経過後、各パネラーの頭髪を、４０℃の温湯で充分洗浄し、乾燥した。このような染毛処理を終えた各パネラーに関して比較評価し、次の結果を得た。
　【００３０】
　実施例２で得られた染毛剤は、刺激臭が少なく、さらに毛髪の脱色力は従来のタイプである比較例３よりも優れ、一方比較例４は刺激臭はないものの、十分な脱色力は得られなかった。。
実施例３（エアゾール式泡沫状染毛剤）
＜第１剤＞　　　　　　　　　　　　　　　　　　　　　　　　　　　　重量％
　　強アンモニア水（２８％）　　　　　　　　　　　　　　　　　　　４．３
　　モノエタノールアミン　　　　　　　　　　　　　　　　　　　　　４．８
　　トルエン−２，５−ジアミン　　　　　　　　　　　　　　　　　　３．０
　　パラフェニレンジアミン　　　　　　　　　　　　　　　　　　　　０．２
　　硫酸２−クロロパラフェニレンジアミン　　　　　　　　　　　　　０．５
　　硫酸パラメチルアミノフェノール　　　　　　　　　　　　　　　　０．２
　　パラニトロオルトフェニレンジアミン　　　　　　　　　　　　　　１．０
　　１−アミノ−４−メチルアントラキノン　　　　　　　　　　　　　０．１
　　ポリオキシエチレン（９）ラウリルエーテル　　　　　　　　　　　１．０
　　セチル硫酸ナトリウム　　　　　　　　　　　　　　　　　　　　　０．５
　　セチルアルコール　　　　　　　　　　　　　　　　　　　　　　　１．０
　　ワセリン　　　　　　　　　　　　　　　　　　　　　　　　　　　０．５
　　ステアリン酸　　　　　　　　　　　　　　　　　　　　　　　　　１．０
　　プロピレングリコール　　　　　　　　　　　　　　　　　　　　　８．０
　　塩化ジメチルジアリルアンモニウム・アクリルアミド共重合体液　　０．５
　　ヒドロキシエチルセルロースヒドロキシプロピルトリメチルアンモニウムクロリドエーテル
　　　　　　　　　　　　　　　　　　　　　　　　　　　　　　　　　０．２
　　エデト酸二ナトリウム　　　　　　　　　　　　　　　　　　　　　０．１
　　アスコルビン酸　　　　　　　　　　　　　　　　　　　　　　　　０．５
　　リン酸２水素アンモニウム　　　　　　　　　　　　　　　　　　　０．３
　　硫酸アンモニウム　　　　　　　　　　　　　　　　　　　　　　　０．５
　　精製水　　　　　　　　　　　　　　　　　　　　　　　　１００とする量
　上記原液に噴射剤ＬＰＧ（５．０Ｋｇ／ｃｍ３、２５℃）を９４：６の割合で充填し、エアゾール式泡沫状染毛剤第１剤を得た。
　【００３１】
＜第２剤＞　　　　　　　　　　　　　　　　　　　　　　　　　　　　重量％
　　過酸化水素水（３５％）　　　　　　　　　　　　　　　　　　　１５．０
　　ＥＤＴＡ　　　　　　　　　　　　　　　　　　　　　　　　　　　０．５
　　セタノール　　　　　　　　　　　　　　　　　　　　　　　　　　２．０
　　塩化ステアリルトリメチルアンモニウム　　　　　　　　　　　　　１．０
　　プロピレングリコール　　　　　　　　　　　　　　　　　　　　　１．０
　　フェナセチン　　　　　　　　　　　　　　　　　　　　　　　　　０．１
　　ポリオキシエチレン（２０）オレイルエーテル　　　　　　　　　　０．９
　　精製水　　　　　　　　　　　　　　　　　　　　　　　　１００とする量
　上記原液に噴射剤ＬＰＧ（５．０Ｋｇ／ｃｍ３、２５℃）を９４：６の割合で充填し、エアゾール式泡沫状染毛剤第２剤を得た。
　【００３２】
　この第１剤と第２剤を１：１の割合で混合し頭髪に塗布した。その後、室温で２０分経過後、４０℃の温湯で充分洗浄し乾燥した。その結果、モノエタノールアミンとアンモニアの合計６．０重量％を１：０．２５の比率で配合した実施例３は、刺激臭も少なく、明度・染毛力並びに施術後の髪の感触も満足できるものであった。
　【００３３】
　【発明の効果】
　特定量のモノエタノールアミンおよびアンモニアを特定の比率で配合することにより、刺激臭が少なく、毛髪に十分な明度および染毛効果を付与し、堅牢性に優れ、プレーンリンス時、およびドライ後の感触が良好で、継続的に染毛を繰り返しても感触が良好である染毛剤を得た。